(57)【特許請求の範囲】
【請求項１】
前身頃と後身頃とからなる身頃本体と、該身頃本体の上端部の両側から伸びた両袖とからなる手術用ガウンであって、
前記前身頃の表面の、少なくとも、着用者の胸部に対応する部分に、手術具を保持するための保持部材を着脱自在に係合する、面ファスナーを固着してなり、
前記保持部材が、複数の面ファスナーを組み合わせることにより、前記手術具を保持する部分と、前記手術用ガウンに固着された前記面ファスナーに係合する部分とを、形成させていることを特徴とする手術用ガウン。
【請求項２】
着用者の胸部に対応する部分に固着される前記面ファスナーの形態が、縦５０ｍｍ〜２５０ｍｍ、横１００ｍｍ〜３００ｍｍの大きさの鳥居型形状である請求項１に記載の手術用ガウン。
【請求項３】
前記保持部材における手術具を保持する部分が、基材となる面ファスナーと、該面ファスナーの裏面に、表面の一部を対面させた面ファスナーとにより形成されている請求項１又は２に記載の手術用ガウン。
【請求項４】
前記保持部材における手術具を保持する部分が、基材となる面ファスナーと、該面ファスナーの裏面からリング状に突出した、互いに係合可能な２つの面ファスナーとにより形成されている請求項１又は２に記載の手術用ガウン。
【請求項５】
前記保持部材における手術具を保持する部分が、１の面ファスナーを長さ方向に折り返して裏面同士を対面させることにより形成されている請求項１又は２に記載の手術用ガウン。
【請求項６】
前記保持部材が、複数の、手術具を保持する部分を有してなる請求項１〜５のいずれか１項に記載の手術用ガウン。
【請求項７】
さらに、前記袖の表面の、着用者の上腕部に対応する部分に、手術具を保持するための保持部材を着脱自在に係合する、面ファスナーを固着させた請求項１〜６のいずれか１項に記載の手術用ガウン。
【発明の詳細な説明】
【技術分野】
【０００１】
本発明は、手術用ガウンに関する。さらに詳しくは、手術時における医療器具の交換を迅速かつ正確に行うことを可能にする手術用ガウンに関する。
【背景技術】
【０００２】
手術には、数多くの医療器具を必要とする。例えば、眼科手術においては、メス、剪刀、鉗子、開瞼器、鑷子、持針器又は止血棒などの様々な種類の医療器具が必要であり、また、同じ種類の医療器具であっても、手術の状況や患者の状態などに応じて、形状や大きさの違うものを使い分ける必要もある。このため、手術の内容にもよるが、例えば、白内障手術においては、同じものも含めて、５０〜６０個位の医療器具が予め用意される。そして、これらの医療器具は、手術の状況に応じて頻繁に交換して使用される。
【０００３】
従来、手術中における医療器具の交換は、看護師などの助手が、器具台などに用意しておいた医療器具の中から、手術者の指示によるものを取り出し、手術者に直接手渡しすることにより行われている。これは、手術者自身が医療器具の交換を行うとすると、適切な医療器具を見つけ出すのに手間取ったり、度重なる視点の変更を強いられたりして、円滑な手術を妨げる場合があるからである。
【０００４】
一方、医療器具の交換を助手が補助する場合であっても、助手は手術者の指示を待って補助することから一定の時間が必要となり、必ずしも迅速な処置ができているとはいえなかった。また、手術者と助手のタイミングにズレが生じた場合においては、手術者のリズムが乱されたり、医療器具の鋭利部分に手術者の手が触れて怪我したりする可能性もあった。さらに、上述したように、手術には数多くの医療器具が予め用意されることから、手術者と助手の意思疎通がうまくいかない場合には、手術者が望む医療器具と異なったものが手渡されることがあり、円滑な手術を行えないこともあった。
【０００５】
また、手術には、上述した医療器具以外にも、筆記具、時計又は眼鏡などの患者の処置に直接は用いないものも必要とされる場合がある。しかし、手術者は、手術用ガウンにより全身が覆われた状態となるため、これらを身に着けることができず、また、上述したように、これらを器具台の上に準備しておいた場合には、使用時に、これらを見つけ出すのに手間取ったり、手術者の視点の変更を強いられたりして、円滑な手術を妨げてしまう問題があった。
【発明の開示】
【発明が解決しようとする課題】
【０００６】
したがって、本発明の目的は、医療器具、筆記具、時計又は眼鏡などの手術具（手術に用いる器具や道具全般を「手術具」という。）を保持することを可能にし、また、手術中における医療器具の交換を、助手の補助を受けることなく、迅速かつ正確に、行うことを可能にする手術用ガウンを提供することにある。
【課題を解決するための手段】
【０００７】
上記に挙げた課題は、以下の本発明により解決される。すなわち、本発明は、前身頃と後身頃とからなる身頃本体と、該身頃本体の上端部の両側から伸びた両袖とからなる手術用ガウンであって、前記前身頃の表面の、少なくとも、着用者の胸部に対応する部分に、手術具を保持するための保持部材を着脱自在に係合する、面ファスナーを固着してなり、前記保持部材が、複数の面ファスナーを組み合わせることにより、前記手術具を保持する部分と、前記手術用ガウンに固着された前記面ファスナーに係合する部分とを、形成させていることを特徴とする手術用ガウンである。
【０００８】
また、本発明の手術用ガウンは、着用者の胸部に対応する部分に固着される前記面ファスナーの形態が、縦５０ｍｍ〜２５０ｍｍ、横１００ｍｍ〜３００ｍｍの大きさの鳥居型形状であることが好ましい。
【０００９】
また、本発明の手術用ガウンは、前記保持部材における手術具を保持する部分が、基材となる面ファスナーと、該面ファスナーの裏面に、表面の一部を対面させた面ファスナーとにより形成されている形態や、前記保持部材における手術具を保持する部分が、基材となる面ファスナーと、該面ファスナーの裏面からリング状に突出した、互いに係合可能な２つの面ファスナーとにより形成されている形態や、前記保持部材における手術具を保持する部分が、１の面ファスナーを長さ方向に折り返して裏面同士を対面させることにより形成されている形態にすることができる。
【００１０】
また、本発明の手術用ガウンは、前記保持部材が、複数の、手術具を保持する部分を有していることが好ましく、また、本発明の手術用ガウンは、さらに、前記袖の表面の、着用者の上腕部に対応する部分に、手術具を保持するための保持部材を着脱自在に係合する、面ファスナーを固着していることが好ましい。
【発明の効果】
【００１１】
本発明によれば、医療器具などのあらゆる手術具を保持することができ、手術中における医療器具の交換を、助手の補助を受けずに、迅速かつ正確に行うことを可能にする手術用ガウンを提供することができる。すなわち、本発明によれば、円滑な手術を実現することができる。
【発明を実施するための最良の形態】
【００１２】
以下に、好ましい実施の形態を挙げて、本発明を詳細に説明する。図１は、本発明の手術用ガウン１の一実施形態を示す正面図であり、前身頃２の表面側から見た状態を示す図である。本発明の手術用ガウン１は、図１に示すように、手術時に医師又は看護師などの助手が着用するガウンであり、その基本的な形態は、一般的に使用されている手術用ガウンと同様に、前身頃２と後身頃３とからなる身頃本体と、該身頃本体の上端部の両側から伸びた両袖４とから構成されている。
【００１３】
図２は、本発明の手術用ガウン１の一実施形態に保持部材１１を係合させた状態を示す正面図である。本発明の手術用ガウン１の特徴は、図１又は図２に示すとおり、一般的に使用されている手術用ガウンの前身頃２の表面のうち、少なくとも、着用者の胸部に対応する部分に、手術具２１を自在に保持するための保持部材１１を着脱自在に係合する、面ファスナー１０を固着してなることにある。すなわち、本発明の手術用ガウン１は、手術者が着用する場合においては、手術者の目が向きやすく、手の届きやすい場所、さらには、手術の邪魔にならない場所に、手術具２１を自在に保持できるようになる。これにより、手術者自らの手により、迅速で正確な医療器具２１の交換を行うことが可能となる。また、助手が手術用ガウン１を着用する場合においても、手術者は手術具２１の交換を助手の手術用ガウン１から直接に行うことができる。また、本発明の手術用ガウン１は、手術具２１を保持する保持部材１１を、面ファスナーを用いることで手術用ガウン１から自在に着脱できるようにしたものである。これにより、手術の内容などによって、手術用ガウン１に保持させる手術具２１を最適な配置に変更することが可能となり、医療器具２１の交換をより円滑に行うことができるようになる。本発明において、着用者の胸部に対応する部分に固着させる面ファスナー１０は、具体的には、前身頃２の襟刳り部分から下方に向けて、５０ｍｍ〜３００ｍｍの範囲のいずれかの位置に固着されていることが好ましく、さらには、１００ｍｍ〜２５０ｍｍの範囲のいずれかの位置に固着されていることがより好ましい。
【００１４】
本発明において、着用者の胸部に対応する部分に固着される面ファスナー１０は、手術具２１を保持するための保持部材１１を着脱自在に係合できるように、その表面側を手術用ガウン１の前方に向けた状態で固着される（図１又は図２参照）。また、この面ファスナー１０の形態は、特に制限はないが、図１に示すような、鳥居型形状であることが好ましく、その大きさは、縦５０ｍｍ〜２５０ｍｍ、横１００ｍｍ〜３００ｍｍであることが好ましい。より好ましくは、縦８０ｍｍ〜２００ｍｍ、横１５０ｍｍ〜２５０ｍｍの大きさである。さらに、この形態において、２本の横線部分の間は１０ｍｍ〜４０ｍｍの範囲内であることが好ましい。このような形態にすることにより、数多くの保持部材１１を配置することができるようになるとともに、配置させた保持部材１１同士（又はこれに保持された手術具２１同士）が重なってしまうのを防止できる。さらに、保持部材１１や手術具２１が、着用者の腹部付近の前方に位置する手術台や患者に触れてしまうのを防止することができる。また、本発明において、手術用ガウンに固着される面ファスナー１０は、上述した鳥居型形状以外にも、複数の、例えば３本の横線の面ファスナーにより形成される形状や、複数の、例えば４本の縦線の面ファスナーにより形成される形状や、着用者の胸部に対応する部分全体を面ファスナーで覆う四角形状に形成させることもできる（図示なし）。これらの形状においても、上述した大きさの範囲内にすることが好ましい。
【００１５】
このような面ファスナー１０の手術用ガウンへの固着方法は、例えば、面ファスナー１０を手術用ガウンに縫い合わせたり、面ファスナー１０を手術用ガウンに粘着剤や接着剤で貼り付けたりするなどして行うことができるが、固着力の強い縫い合わせによる固着方法が好ましい。
【００１６】
図３〜図５は、保持部材１１の好ましい実施形態を示す斜視図である。保持部材１１は、手術具を自在に保持する部分１２と、手術用ガウンに固着される面ファスナー１０に着脱自在に係合する部分１３を有するものであれば、特に制限はないが、これに保持させる手術具２１の種類に応じて、最適な形態にすることが好ましい。例えば、各手術具２１を保持するのに最適な形態は、例えば、複数の面ファスナーを組み合わせることにより容易に形成させることができる。以下、複数の面ファスナーを組み合わせて形成させた保持部材１１の好ましい形態について説明する。
【００１７】
保持部材１１の第１の好ましい形態としては、図３に示すような、手術具を保持する部分１２が、基材となる面ファスナーと、該面ファスナーの裏面に、表面の一部を対面させた面ファスナーとにより形成されている形態が挙げられる。この形態においては、図７又は図８に示すとおり、手術具を保持する部分１２、すなわち、２つの面ファスナーが対面している部分に手術具２１を抜差自在に保持させることができる。また、この部分に保持させた手術具２１は、面ファスナーの、植毛されている表面側と、そうでない裏面側に、それぞれ接した状態となり、適度な力で保持されることとなる。このため、手術具２１を保持している間は、手術具２１の落下を防止することができ、一方で、手術具２１を使用する際は、手術具を保持する部分１２から手術具２１を容易に引き抜くことができる。
【００１８】
この形態の保持部材１１は、さらに、保持させる手術具２１の形状や大きさなどに応じて、さらに最適な形態に形成させることができる。例えば、鑷子やスパーテルなどの手術具２１を保持させるのに最適な保持用面ファスナーの形態としては、その手術具を保持する部分１２が、図３（ａ）に示すような、基材となる面ファスナーの裏面側から表面側へ、細幅の面ファスナーの両端部を貫通させた後、この両端部の表面を基材となる面ファスナーの表面と係合させることにより形成される形態が挙げられる。さらに、この形態においては、図８に示すように、細幅の面ファスナーの対面している部分の長さが、保持させる手術具２１の幅と同程度となるように調整されている。この形態は、最も簡易的な形態であり、設置場所をとらないため、数多く配置することができ有用である。
【００１９】
また、眼鏡や鉗子などの細長い部分を有する手術具２１を保持させるのに最適な保持部材１１の形態は、図３（ｂ）に示すような、その手術具を保持する部分１２が、保持させる手術具２１の長さに合わせて縦長状にした基材となる面ファスナーの裏面に、表面が対面するように複数の細幅の面ファスナーを巻きつけた後、これらを係合させることにより形成される形態が挙げられる。この形態において、複数の細幅の面ファスナーは、保持させる手術具２１の長さにより所定間隔離れて設けられている。この形態において、例えば、眼鏡を保持させる場合は、折りたたんだ状態の眼鏡のつる側を保持部材１１の表側に向けた状態で、眼鏡の片側のつるを、面ファスナーが対面している２つの部分、すなわち、手術具を保持する部分１２に差し込んで保持させることができる（図７（ｄ）参照）。これにより、眼鏡の蝶番部分が、上方に位置する細幅の面ファスナーの側面に引っかかる状態となり、安定的に保持されるとともに、眼鏡の抜き取りも容易となる。
【００２０】
また、時計などの横長の手術具２１を保持させるのに最適な保持部材１１の形態は、図３（ｃ）に示すような、その手術具を保持する部分１２が、保持させる手術具２１の横幅に合わせて横長状にした基材となる面ファスナーの裏面に、表面が対面するように面ファスナーを巻きつけた後、これらを係合させて形成される形態が挙げられる。さらに、この形態において、保持させる手術具２１が重量のあるものの場合は、図３（ｃ）に示すように、落下防止のための受け部分１４を形成させることができ、例えば、時計を保持させる場合は、図７（ｃ）に示すように保持させる。この受け部分も面ファスナーの組み合わせにより形成できる。
【００２１】
また、保持部材の第２の好ましい形態としては、図４に示すような、その手術具を保持する部分１２が、基材となる面ファスナーと、該面ファスナーの裏面からリング状に突出した、互いに係合可能な２つの面ファスナーとにより形成されている形態が挙げられる。この形態においては、図７（ａ）に示すとおり、手術具を保持する部分１２、すなわち、２つのリング状の面ファスナーが対面している部分に、手術具２１を挟持自在に保持させることができる。また、この形態においては、図７（ｂ）に示すとおり、２つのリング状の面ファスナーのリング部分に、鑷子などの二股状の手術具２１の各脚を挿入させて保持させることもできる。この形態において、基材となる面ファスナーとリング状の面ファスナーとは、リング状の面ファスナーの両端部を基材となる面ファスナーの裏面側から表面側に貫通させた後、この両端部の表面を基材となる面ファスナーの表面と係合させることにより組み合わせることができる。また、このリング状に突出させる面ファスナーの突出部分の長さは、例えば、１０ｍｍ〜３０ｍｍにすることが好ましい。
【００２２】
また、保持部材の第３の好ましい形態としては、図５に示すような、その手術具を保持する部分１２が、１の面ファスナーを長さ方向に折り返して裏面同士を対面させることにより形成されている形態が挙げられる。この形態においては、図７（ｅ）又は図８に示すとおり、手術具を保持する部分１２、すなわち、２つの面ファスナーが対面している部分に手術具２１を抜差自在に保持させることができる。この形態において、手術具２１は、面ファスナーの裏面同士の間に接した状態で保持されることとなるため、面ファスナーの面による保持力は弱いが、一方で、面ファスナーの折り返しによる受けが形成されているため、この受けにより手術具２１を安定的に保持できる。この形態において、面ファスナーの裏面同士を対面させた状態は、図５に示すとおり、他の面ファスナー１５をこの対面部分の周りに係合させることにより維持させることができる。また、この形態は、１の面ファスナーを長さ方向に複数回折り返すことで、裏面同士が対面している部分を複数形成させることもできる（図５（ａ）参照）。また、この形態では、図５又は図８に示すように、保持させた手術具２１が倒れたり、落下したりしないように、細幅の面ファスナー１６を予備的に設置させていてもよい。
【００２３】
保持部材１１は、これ以外にも、保持させる手術具２１の種類に応じて、様々な形態にすることができる。例えば、図６に示すように、別々の面ファスナーの裏面同士を対面させた状態にし、さらに、別の面ファスナーを用いて、この対面部分の密着度を調整できるようにした形態が挙げられる。また、保持部材１１には、上述したような、手術具を保持する部分１２以外にも、他の機能を備えた補助部を有していてもよい。例えば、先端から水が流出する洗浄器具などを保持させる場合においては、保持させた洗浄器具の先端から水が漏れて手術用ガウンなどが汚されてしまうのを防止するため、この先端部分を包んで水を溜めることができる小袋状の補助部を備えることができる（図示なし）。
【００２４】
さらに、本発明においては、保持部材１１が、例えば、図８に示すような、上述したような、複数の、手術具を保持する部分１２を有した形態であってもよい。また、このような形態は、図８に示すように、上述した鳥居型形状をした手術用ガウンに固着される面ファスナーの横線部分に着脱自在に係合できるような配置の形状にすることができる。このような形状をした形態にすることにより、手術の内容ごとに最適な手術具２１の配置位置を予め設定しておくことが可能となるので、手術を直ぐに開始できる利点がある。
【００２５】
なお、手術者が本発明の手術用ガウン１の着用者である場合、手術用ガウン１の着用者（手術者）の胸部に対応する部分に保持させる手術具２１としては、交換頻度の高い医療器具２１であることが好ましい。すなわち、手術者の胸部付近は、手術者の目が向きやすく、手が届きやすい場所であることから、手術者自身が医療器具２１を確認して交換するのを最も無駄なく行うことができる場所であるからである。また、この部分に保持させる医療器具２１は、手術者が、主として右手で扱うものを左胸部付近に、主として左手で扱うものを右胸部付近に、それぞれ、配置させておくことが好ましい。これにより、より円滑で無駄のない医療器具２１の交換が可能となる。また、助手が本発明の手術用ガウン１の着用者である場合においても、手術具２１の交換が容易な箇所、すなわち、着用者（助手）の胸部に対応する部分に、交換頻度の高い医療器具２１を保持させることが好ましい。
【００２６】
また、本発明の手術用ガウン１は、図１又は図２に示すように、前身頃２表面の着用者の胸部に対応する部分以外にも、面ファスナー１０を固着させることで、手術具２１を保持するための保持部材１１を着脱自在に係合できるようにしてもよい。例えば、前身頃２の表面のうち、着用者の太もも部に対応する部分（図１又は図２参照）や、着用者の肋骨部に対応する部分などに面ファスナー１０を固着することができる。これらの部分には、交換頻度の少ない、予備的な医療器具２１や、医療器具以外の手術具２１を保持させることが好ましい。例えば、着用者の太もも部に対応する部分には、交換を要しない時計を保持させることが好ましい。当該部分に時計を保持させることにより、手術時に、太ももを多少上げるだけで、簡単に時間の確認を行え得る。一方、着用者の腹部に対応する部分は、手術の際、手術者の前方に位置する手術台や患者に接触しやすい場所であるため、手術具２１の保持はなるべく避けた方が好ましい。
【００２７】
本発明の手術用ガウン１は、さらに、図１又は図２に示すように、前身頃２以外にも、面ファスナー１０を固着させることで、手術具２１を保持するための保持部材１１を着脱自在に係合できるようにしてもよい。例えば、袖４の表面の着用者の上腕に対応する部分に、面ファスナー１０を固着することができる。この部分に保持させる手術具２１は、眼鏡などの、予備的で交換頻度の少ない手術具２１や、大き目の手術具２１を好ましく保持させることができる。なお、後身頃３は、手術者の目が届きにくく、また、保持させる手術具２１を手に取ることが難しい場所であることから、手術具１１を保持させるために、面ファスナーを固着させる場所として好ましくない。
【００２８】
本発明に用いる面ファスナーとしては、市販されているいずれのものも使用できる。例えば、伸和社製の商品名「マジクロス」に代表される、一対の面ファスナーの面上にフックの機能とループの機能をそれぞれ別々に設けることにより、当該面同士を密着させて係合する方式のものや、例えば、クラレ社製の商品名「自由自在バンド」に代表される、１枚の面ファスナーの面上にフックとループの機能を両方備えており、当該面同士を密着させて係合する方式のものを使用できる。なお、本発明において、面ファスナーの「表面」とは、フック及び／又はループの機能を有した面のことであり、面ファスナーの「裏面」とは、表面の反対側の面であり、フック及びループの機能を有しない面のことである。また、面ファスナーの素材は、特に限定はないが、例えば、手術糸などに用いられるナイロン樹脂製のものを好ましく用いることができる。また、これらの面ファスナーを、自由に組み合わせたり、加工したりして、上述したような形態に形成させる。
【００２９】
また、本発明の手術用ガウン１は、保持部材１１上に絵柄模様、例えば、キャラクターデザインなどを施すこともできる。これにより、手術時に、患者を和ませることが可能となる。
【００３０】
図１０は、本発明の手術用ガウン１を着用した状態を示す正面図である。図１０に示すとおり、本発明の手術用ガウン１は、従来、一般的に使用されている手術用ガウンと、同様の方法で着用することができる。例えば、図１や図１０に示される形態の本発明の手術用ガウン１は、以下のようにして着用できる。先ず、前身頃２を着用者の前面にした状態で両袖４に腕を通した後、襟刳りの部分に設けられた１対の襟刳り用面ファスナー６と紐７で左右の後身頃３の上端部分を連結する。次に、左右後身頃３の自由縁側を着用者の背中部分で合わせた後、この左右後身頃３の側縁部と前身頃２にそれぞれ設けられている腰帯５を結びつけることにより、手術用ガウン１は着用できる。本発明の手術用ガウン１は、このようにして着用した後、その表面に固着された面ファスナーに、手術具を自在に保持するための保持部材１１を係合させ、さらに保持部材１１に手術具２１を保持させることにより使用できる。また、着用者が手術用ガウン１を着用する前に、予め、保持部材１１を係合させたり、手術具２１を保持させたりしておいてもよい。このように予め手術用ガウン１に手術具２１を、しかも、手術の内容に適した配列で保持させておくことで、手術を行う前に、本発明の手術用ガウン１は手術具２１と一括して消毒することが可能となる。これにより、手術者は、手術用ガウン１を着用するだけで手術に取り掛かることができ、迅速な手術を行うことが可能となる。つまり、手術を行う間際になって、手術具２１や手術用ガウン１をそれぞれ個別に消毒したり、手術具２１を消毒した後、これを器具台に配列させたりする煩雑な作業をなくすことが可能である。また、本発明の手術用ガウン１は、エチレンオキサイドなどのガス滅菌や、紫外線照射滅菌などにより、消毒することができる。
【００３１】
以上のように使用する本発明の手術用ガウン１に加えて、手術時には、さらに、図９に示すように、帯状の面ファスナーと、該帯状の面ファスナーと着脱自在に係合する、手術具を保持するための保持部材１１とからなるリストバンド３１を用いてもよい。このようなリストバンドにおいて、帯状の面ファスナーは手術者の手首の大きさに合わせて長さを調整できるように形成されており、また、保持部材１１は、上述したような形態に形成させることができる。
【産業上の利用可能性】
【００３２】
本発明によれば、医療器具などの手術具を保持することができ、また、手術中における医療器具の交換を、助手の補助を受けることなく、迅速かつ正確に、行え得る手術用ガウンを提供することができる。したがって、本発明の手術用ガウンは、安全かつ短時間に行うことが要求される眼科手術などの外科手術に着用する手術用ガウンとして最適であり、これにより、円滑で、患者負担の少ない手術を行うことが可能となる。
【図面の簡単な説明】
【００３３】
【図１】本発明の手術用ガウンの一実施形態を示す正面図。
【図２】本発明の手術用ガウンの一実施形態に保持部材を係合させた状態を示す正面図。
【図３】保持部材の好ましい形態を示す斜視図。
【図４】保持部材の好ましい形態を示す斜視図。
【図５】保持部材の好ましい形態を示す斜視図。
【図６】保持部材の好ましい形態を示す斜視図。
【図７】保持部材に手術具を保持させた状態を説明する正面図。
【図８】保持部材に手術具を保持させた状態、及び、複数の手術具を保持する部分を有する保持部材を説明する正面図。
【図９】リストバンドを説明する正面図。
【図１０】本発明の手術用ガウンを着用した状態を示す正面図。
【符号の説明】
【００３４】
１：手術用ガウン
２：前身頃
３：後身頃
４：袖
５：腰帯
６：襟刳り用面ファスナー
７：紐
１０：手術用ガウンに固着される面ファスナー
１１：保持部材
１２：手術具を保持する部分
１４：受け部分
２１：手術具（医療器具）
３１：リストバンド
【図１】
0005171360.tif 000002
【図２】
0005171360.tif 000003
【図３】
0005171360.tif 000004
【図４】
0005171360.tif 000005
【図５】
0005171360.tif 000006
【図６】
0005171360.tif 000007
【図７】
0005171360.tif 000008
【図８】
0005171360.tif 000009
【図９】
0005171360.tif 000010
【図１０】
0005171360.tif 000011